【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【請求項１】  入力した画像データに変倍処理を施す画像処理装置であって、
入力した画像データを分割処理して複数のタイル画像データを生成する分割手段と、
前記分割手段により生成された複数のタイル画像データを圧縮処理して該圧縮処理されたタイル画像データを含む複数のデータパケットを生成する圧縮手段と、
前記圧縮手段により生成された複数のデータパケットを記憶する記憶手段と、
前記記憶手段に記憶された複数のデータパケットに含まれる圧縮されたタイル画像データを読み出して伸張処理する伸張手段と、
前記伸張手段により伸張処理された複数のデータパケットをパケット単位で変倍処理して複数のタイル画像データを生成する変倍手段とを有し、
前記圧縮手段は、前記変倍手段により生成された複数のタイル画像データを圧縮処理して該圧縮処理されたタイル画像データを含む複数のデータパケットを生成し、
前記記憶手段は、前記変倍手段による変倍処理を経て前記圧縮手段より生成された複数のデータパケットを記憶することを特徴とする画像処理装置。
【請求項２】  前記変倍手段は、前記タイル画像データの水平方向の画素数に対応するラインバッファを有し、該ラインバッファに記憶されるデータパケットを変倍処理することを特徴とする請求項１に記載の画像処理装置。
【請求項３】  前記変倍手段は、所定のライン数分のラインバッファを有し、該所定のライン数分のデータを前記記憶手段から読み出した後に前記変倍処理を開始することを特徴とする請求項１又は２に記載の画像処理装置。
【請求項４】 前記伸張手段により伸張処理された複数のデータパケットをパケット単位で画像処理して複数のタイル画像データを生成する画像処理手段を複数有し、
前記データパケットは、前記複数の画像処理手段及び前記変倍手段のいずれで処理されるべきかを示すヘッダを含むことを特徴とする請求項１乃至３のいずれかに記載の画像処理装置。
【請求項５】 前記複数の画像処理手段及び前記変倍手段が接続されるバスと、
前記データパケットに含まれるヘッダに基づいて、前記データパケットを前記複数の画像処理手段及び前記変倍手段のいずれかに転送するバスインターフェースとを有することを特徴とする請求項４に記載の画像処理装置。
【請求項６】  入力した画像データに変倍処理を施す画像処理装置であって、
入力した画像データを分割処理してメモリに複数のタイル画像データを書き込む書込手段と、
前記メモリに書き込まれたタイル画像データを読み出す読出手段と、
前記読出手段により読み出されたタイル画像データを変倍処理する変倍手段と、
指定された垂直方向の変倍率がｎ（ｎ＜１）である場合、前記メモリにおいて管理すべき垂直方向のタイル画像データの数を少なくとも（１／ｎ）＋２個とし、前記読出手段及び前記書込手段による前記メモリへのアクセスに関する排他制御を行う排他制御手段と、
を有することを特徴とする画像処理装置。
【請求項７】  入力した画像データに変倍処理を施す画像処理装置の変倍処理方法であって、
入力した画像データを分割処理して複数のタイル画像データを生成する分割工程と、
前記分割工程により生成された複数のタイル画像データを圧縮処理して該圧縮処理されたタイル画像データを含む複数のデータパケットを生成する圧縮工程と、
前記圧縮工程により生成された複数のデータパケットをメモリに書き込む書込工程と、
前記メモリに書き込まれた複数のデータパケットに含まれる圧縮されたタイル画像データを読み出して伸張処理する伸張工程と、
前記伸張工程により伸張処理された複数のデータパケットをパケット単位で変倍処理して複数のタイル画像データを生成する変倍工程とを有し、
前記圧縮工程は、前記変倍工程により生成された複数のタイル画像データを圧縮処理して該圧縮処理されたタイル画像データを含む複数のデータパケットを生成し、
前記書込工程は、前記変倍工程を経て前記圧縮工程より生成された複数のデータパケットをメモリに書き込むことを特徴とする変倍処理方法。
【請求項８】  入力した画像データに変倍処理を施す画像処理装置のメモリ制御方法であって、
入力した画像データを分割処理してメモリに複数のタイル画像データを書き込む書込工程と、
前記メモリに書き込まれたタイル画像データを読み出す読出工程と、
前記読出工程において読み出されたタイル画像データを変倍処理する変倍工程と、
指定された垂直方向の変倍率がｎ（ｎ＜１）である場合、前記メモリにおいて管理すべき垂直方向のタイル画像データの数を少なくとも（１／ｎ）＋２個とし、前記読出工程及び前記書込工程における前記メモリへのアクセスに関する排他制御を行う排他制御工程と、
を有することを特徴とするメモリ制御方法。
【手続補正２】
【補正対象書類名】明細書
【補正対象項目名】００１７
【補正方法】変更
【補正の内容】
【００１７】
【課題を解決するための手段】
上記目的を達成するために、本発明の画像処理装置は、入力した画像データに変倍処理を施す画像処理装置であって、入力した画像データを分割処理して複数のタイル画像データを生成する分割手段と、前記分割手段により生成された複数のタイル画像データを圧縮処理して該圧縮処理されたタイル画像データを含む複数のデータパケットを生成する圧縮手段と、前記圧縮手段により生成された複数のデータパケットを記憶する記憶手段と、前記記憶手段に記憶された複数のデータパケットに含まれる圧縮されたタイル画像データを読み出して伸張処理する伸張手段と、前記伸張手段により伸張処理された複数のデータパケットをパケット単位で変倍処理して複数のタイル画像データを生成する変倍手段とを有し、前記圧縮手段は、前記変倍手段により生成された複数のタイル画像データを圧縮処理して該圧縮処理されたタイル画像データを含む複数のデータパケットを生成し、前記記憶手段は、前記変倍手段による変倍処理を経て前記圧縮手段より生成された複数のデータパケットを記憶することを特徴とする。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
また、本発明の画像処理装置は、入力した画像データに変倍処理を施す画像処理装置であって、入力した画像データを分割処理してメモリに複数のタイル画像データを書き込む書込手段と、前記メモリに書き込まれたタイル画像データを読み出す読出手段と、前記読出手段により読み出されたタイル画像データを変倍処理する変倍手段と、指定された垂直方向の変倍率がｎ（ｎ＜１）である場合、前記メモリにおいて管理すべき垂直方向のタイル画像データの数を少なくとも（１／ｎ）＋２個とし、前記読出手段及び前記書込手段による前記メモリへのアクセスに関する排他制御を行う排他制御手段とを有することを特徴とする。
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】変更
【補正の内容】
【００２３】
また、本発明の変倍処理方法は、入力した画像データに変倍処理を施す画像処理装置の変倍処理方法であって、入力した画像データを分割処理して複数のタイル画像データを生成する分割工程と、前記分割工程により生成された複数のタイル画像データを圧縮処理して該圧縮処理されたタイル画像データを含む複数のデータパケットを生成する圧縮工程と、前記圧縮工程により生成された複数のデータパケットをメモリに書き込む書込工程と、前記メモリに書き込まれた複数のデータパケットに含まれる圧縮されたタイル画像データを読み出して伸張処理する伸張工程と、前記伸張工程により伸張処理された複数のデータパケットをパケット単位で変倍処理して複数のタイル画像データを生成する変倍工程とを有し、前記圧縮工程は、前記変倍工程により生成された複数のタイル画像データを圧縮処理して該圧縮処理されたタイル画像データを含む複数のデータパケットを生成し、前記書込工程は、前記変倍工程を経て前記圧縮工程より生成された複数のデータパケットをメモリに書き込むことを特徴とする。
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】変更
【補正の内容】
【００２５】
また、本発明の変倍処理方法は、入力した画像データに変倍処理を施す画像処理装置のメモリ制御方法であって、入力した画像データを分割処理してメモリに複数のタイル画像データを書き込む書込工程と、前記メモリに書き込まれたタイル画像データを読み出す読出工程と、
前記読出工程において読み出されたタイル画像データを変倍処理する変倍工程と、指定された垂直方向の変倍率がｎ（ｎ＜１）である場合、前記メモリにおいて管理すべき垂直方向のタイル画像データの数を少なくとも（１／ｎ）＋２個とし、前記読出工程及び前記書込工程における前記メモリへのアクセスに関する排他制御を行う排他制御工程とを有することを特徴とする。
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】